(57)【要約】【課題】作業者が、給電装置や面光源を設置する際に、誤って給電端子に触れることを抑制する。【解決手段】面光源２００は、給電装置１００の面光源保持部１０１の配置面１０２に配置される。給電装置１００は、配置面１０２の他に、給電部１１１、収容部１０６、及び移動部１０５を備えている。給電部１１１は、面光源２００に電気を供給する。具体的には、給電部１１１は面光源２００の電源端子２１０に接続する。収容部１０６は給電部１１１を内側に収容する。そして移動部１０５は、面光源２００が配置面１０２に配置されたときに、給電部１１１を収容部１０６から配置面１０２に向けて移動させ、面光源２００の電源端子２１０に接続させる。【選択図】図１
2014229493.tif 000002
【特許請求の範囲】
【請求項１】
配置面に面光源が配置される面光源保持部と、
前記面光源に電気を供給する給電部と、
前記面光源保持部の中に設けられ、前記給電部を内側に収容する収容部と、
前記面光源が前記配置面に配置されたときに、前記給電部を前記収容部から前記配置面に向けて移動させて前記面光源に接続させる移動部と、
を備える給電装置。
【請求項２】
請求項１に記載の給電装置において、
前記移動部は、
梃子部材と、
前記梃子部材を回転可能に支持する回転軸と、
一端側が前記配置面から外部に突出しており、かつ前記面光源保持部の内部に向けて移動可能な当接部材と、
を備え、
前記給電部及び前記当接部材は、いずれも前記梃子部材に接しており、かつ前記回転軸を挟んで互いに反対側に位置している給電装置。
【請求項３】
請求項１に記載の給電装置において、
前記移動部は、
梃子部材と、
前記梃子部材を回転可能に支持する回転軸と、
を備え、
前記面光源保持部は、前記配置面に配置された前記面光源が有する凸部を前記梃子部材に押し付けるための開口を備え、
前記給電部は、前記梃子部材のうち、前記回転軸を挟んで前記凸部が押し付けられる部分の反対側に接している給電装置。
【請求項４】
請求項２又は３に記載の給電装置において、
前記梃子部材のうち前記回転軸とは異なる部分に取り付けられており、前記梃子部材を前記給電部が前記収容部に収容される方向に付勢するバネ部材を備える給電装置。
【請求項５】
請求項２〜４のいずれか一項に記載の給電装置において、
前記給電部を前記面光源に接続させる位置に前記梃子部材が回転しているときに、前記梃子部材に接続する電源端子と、
前記電源端子を外部電源に接続する配線と、
を備え、
前記梃子部材は、前記電源端子と前記給電部を接続する導電部材を有している給電装置。
【請求項６】
給電装置に取り付けられる面光源の本体と、
前記本体のうち前記給電装置に対向する面に形成された凸部と、
を備え、
前記給電装置は、
配置面に前記本体が配置される面光源保持部と、
前記本体に電気を供給する給電部と、
前記面光源保持部の中に設けられ、前記給電部を内側に収容する収容部と、
前記本体が前記配置面に配置されたときに、前記給電部を前記収容部から前記配置面に向けて移動させて前記本体に接続させる移動部と、
を備え、
前記凸部は、前記本体が前記配置面に配置されたときに、前記移動部に作用し、前記給電部を前記収容部から前記配置面に向けて移動させて前記本体に接続させる面光源。
【請求項７】
給電装置に取り付けられる面光源の本体と、
前記本体のうち前記給電装置に対向する面に形成され、凸部が取り付けられる取付部と、
を備え、
前記給電装置は、
配置面に前記本体が配置される面光源保持部と、
前記本体に電気を供給する給電部と、
前記面光源保持部の中に設けられ、前記給電部を内側に収容する収容部と、
前記本体が前記配置面に配置されたときに、前記給電部を前記収容部から前記配置面に向けて移動させて前記本体に接続させる移動部と、
を備え、
前記凸部は、前記本体が前記配置面に配置されたときに、前記移動部に作用し、前記給電部を前記収容部から前記配置面に向けて移動させて前記本体に接続させる面光源。
【発明の詳細な説明】
【技術分野】
【０００１】
本発明は、給電装置及び面光源に関する。
【背景技術】
【０００２】
近年は、有機ＥＬ（Organic Electroluminescence）素子およびＬＥＤ（Light Emitting Diode）などの面光源を、照明装置の光源として使用するための技術が開発されている。これらの面光源の使用方法の一つとして、壁面や天井などの面に面光源を取り付ける方法がある。
【０００３】
なお、特許文献１には、発電装置において、負荷に電力を供給するための端子にオペレータが触れることを抑制するための遮蔽手段を用いることが記載されている。この技術において、遮蔽手段は、端子が負荷から分離されている状態では端子を遮蔽し、端子が負荷に接続されている状態では端子を外部に露出させる。この遮蔽手段は、負荷が端子に近づくと端子により押し込まれる押込部材を有している。そしてこの押込部材が押し込まれると、端子は負荷側に移動する。
【先行技術文献】
【特許文献】
【０００４】
【特許文献１】特開２００６−２８０１４５号公報
【発明の概要】
【発明が解決しようとする課題】
【０００５】
面光源を壁面や天井などの面に取り付ける場合、その面に給電装置を設置する必要がある。本発明者は、作業者が、給電装置や面光源を設置する際に、誤って給電端子に触れることを抑制するための技術を検討した。
【０００６】
本発明が解決しようとする課題としては、作業者が、給電装置や面光源を設置する際に、誤って給電端子に触れることを抑制することが一例として挙げられる。
【課題を解決するための手段】
【０００７】
請求項１に記載の発明は、配置面に面光源が配置される面光源保持部と、
前記面光源に電気を供給する給電部と、
前記面光源保持部の中に設けられ、前記給電部を内側に収容する収容部と、
前記面光源が前記配置面に配置されたときに、前記給電部を前記収容部から前記配置面に向けて移動させて前記面光源に接続させる移動部と、
を備える給電装置である。
【０００８】
請求項６に記載の発明は、給電装置に取り付けられる面光源の本体と、
前記本体のうち前記給電装置に対向する面に形成された凸部と、
を備え、
前記給電装置は、
配置面に前記本体が配置される面光源保持部と、
前記本体に電気を供給する給電部と、
前記面光源保持部の中に設けられ、前記給電部を内側に収容する収容部と、
前記本体が前記配置面に配置されたときに、前記給電部を前記収容部から前記配置面に向けて移動させて前記本体に接続させる移動部と、
を備え、
前記凸部は、前記本体が前記配置面に配置されたときに、前記移動部に作用し、前記給電部を前記収容部から前記配置面に向けて移動させて前記本体に接続させる面光源である。
【０００９】
請求項７に記載の発明は、給電装置に取り付けられる面光源の本体と、
前記本体のうち前記給電装置に対向する面に形成され、凸部が取り付けられる取付部と、
を備え、
前記給電装置は、
配置面に前記本体が配置される面光源保持部と、
前記本体に電気を供給する給電部と、
前記面光源保持部の中に設けられ、前記給電部を内側に収容する収容部と、
前記本体が前記配置面に配置されたときに、前記給電部を前記収容部から前記配置面に向けて移動させて前記本体に接続させる移動部と、
を備え、
前記凸部は、前記本体が前記配置面に配置されたときに、前記移動部に作用し、前記給電部を前記収容部から前記配置面に向けて移動させて前記本体に接続させる面光源である。
【図面の簡単な説明】
【００１０】
【図１】実施形態に係る発光装置の構成を示す図である。
【図２】実施例１に係る発光装置の構成を示す図である。
【図３】実施例１に係る発光装置の構成を示す図である。
【図４】給電装置を配置面側から見た斜視図である。
【図５】面光源を電源端子が設けられている面側から見た斜視図である。
【図６】実施例２に係る発光装置の構成を示す図である。
【図７】実施例２に係る発光装置の構成を示す図である。
【図８】実施例３に係る発光装置の構成を示す図である。
【図９】図８の変形例を示す図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置１０の構成を示す図である。発光装置１０は、給電装置１００及び面光源２００を備えている。面光源２００は、例えば有機ＥＬ素子やＬＥＤなどの面光源を有している。面光源２００は、板状又はシート状となっている。面光源２００は、給電装置１００の配置面１０２に配置される。また、面光源２００のうち配置面１０２に対向する面には、電源端子２１０が設けられている。
【００１３】
給電装置１００の配置面１０２は、面光源保持部１０１に設けられている。給電装置１００は、上記した配置面１０２の他に、給電部１１１、収容部１０６、及び移動部１０５を備えている。給電部１１１は、面光源２００に電気を供給する。具体的には、給電部１１１は面光源２００の電源端子２１０に接続する。収容部１０６は給電部１１１を内側に収容する。そして移動部１０５は、面光源２００が配置面１０２に配置されたときに、給電部１１１を収容部１０６から配置面１０２に向けて移動させ、面光源２００の電源端子２１０に接続させる。移動部１０５は、例えば機械的な構造体を有しており、この構造体の一部が面光源２００によって押された場合に、この押される力を、給電部１１１を面光源２００に向けて移動させる力に変換する。なお、移動部１０５の具体的な構造については、実施例を用いて後述する。
【００１４】
本実施形態によれば、給電部１１１は、面光源２００が配置面１０２に配置されるまでは、収容部１０６の中に位置している。従って、作業者が発光装置１０を壁面や天井などの面に取り付ける際に、作業者が誤って給電部１１１に触れることを抑制できる。
【実施例】
【００１５】
（実施例１）
図２及び図３は、実施例１に係る発光装置１０の構成を示す図である。図２は、面光源２００を配置面１０２に搭載する前の図であり、図３は、面光源２００を配置面１０２に搭載した状態を示す図である。これらの図に示す発光装置１０において、給電装置１００の移動部１０５は、梃子部材１１０、回転軸１２０、及び当接部材１３０を備えている。
【００１６】
梃子部材１１０及び回転軸１２０は、面光源保持部１０１の内部に設けられている。回転軸１２０は梃子部材１１０を回転可能に支持している。すなわち梃子部材１１０は、回転軸１２０を回転軸として回転する。そして梃子部材１１０の一端側には給電部１１１が接するように設けられている。本図に示す例では、梃子部材１１０は、端部を除いて直線状に延在している。また、給電部１１１は梃子部材１１０の一端となっている。
【００１７】
なお、配置面１０２のうち給電部１１１の上方に位置する領域には、開口１０７が設けられている。配置面１０２に面光源２００が配置された状態において、開口１０７は電源端子２１０に対向する。このため、梃子部材１１０が回転すると、給電部１１１は、開口１０７から外部に飛び出て電源端子２１０に接続することができる。
【００１８】
当接部材１３０は、一端側が、配置面１０２に設けられた開口１０４を通って外部に突出しており、かつ面光源保持部１０１の内部に向けて移動可能になっている。そして当接部材１３０の他端は、梃子部材１１０の他端に、配置面１０２側から当接している。当接部材１３０は、例えばピン状の部材であるが、ピン以外の形状を有していても良い。そして配置面１０２に面光源２００が配置されると、当接部材１３０は、面光源２００によって面光源保持部１０１の内部に向けて押し込まれる。すると、梃子部材１１０は回転軸１２０を中心に回転し、その結果、給電部１１１は収容部１０６の外部に押し出される。
【００１９】
また、本実施例では、給電装置１００は電源端子１４０及び配線１５０を備えている。配線１５０は、外部電源を電源端子１４０に接続している。電源端子１４０は、給電部１１１が収容部１０６の外部に押し出された状態において、梃子部材１１０に設けられた受電部１１３に接続する。受電部１１３と給電部１１１は、梃子部材１１０に設けられた導電部材を介して互いに接続されている。この導電部材は、梃子部材１１０の表面に形成されていても良いし、梃子部材１１０そのものであってもよい。後者の場合、梃子部材１１０は導電性の材料（例えば銅などの金属）によって形成されている。なお、本図に示す例において、受電部１１３は梃子部材１１０のうち給電部１１１とは逆側の端部に設けられている。ただし、受電部１１３の位置は本図に示す例に限定されない。
【００２０】
このようにすると、面光源２００が配置面１０２に配置されない限り、給電部１１１には電圧が加わらない。
【００２１】
また、移動部１０５はバネ部材１６０を有している。バネ部材１６０は、梃子部材１１０のうち回転軸１２０とは異なる部分に取り付けられており、梃子部材１１０を、給電部１１１が収容部１０６の内部に収容される方向に付勢している。本図に示す例では、バネ部材１６０の一端は、梃子部材１１０のうち回転軸１２０よりも給電部１１１に近い側に取り付けられている。また、バネ部材１６０の他端は、収容部中空部１０６の内面のうち配置面１０２とは逆側の面、すなわち底面に取り付けられている。そして給電部１１１が電源端子２１０に接続しているとき、バネ部材１６０は伸びた状態になっている。ただし、バネ部材１６０は、梃子部材１１０のうち回転軸１２０よりも給電部１１１から離れた方向に取り付けられていても良い。この場合、給電部１１１が電源端子２１０に接続しているとき、バネ部材１６０は縮んだ状態になっている。
【００２２】
このようにすると、面光源２００が配置面１０２から取り外されると、給電部１１１は、バネ部材１６０によって収容部１０６の内部に収容される。
【００２３】
図４は、給電装置１００を配置面１０２側から見た斜視図であり、図５は、面光源２００を電源端子２１０が設けられている面側から見た斜視図である。
【００２４】
図４に示すように、給電装置１００は、梃子部材１１０、回転軸１２０、当接部材１３０、電源端子１４０、配線１５０、及びバネ部材１６０を２組有している。一方の組は、面光源２００に電源電圧を供給するために設けられており、他方の組は、面光源２００に接地電圧を供給するために設けられている。
【００２５】
これに対応して、図５に示すように、面光源２００には電源端子２１０が２つ設けられている。一方の電源端子２１０には電源電圧が供給され、他方の電源端子２１０には接地電圧が供給される。
【００２６】
本実施例によれば、面光源２００が配置面１０２に配置されると、面光源２００によって当接部材１３０が面光源保持部１０１の内部に押し込まれる。すると、梃子部材１１０が回転軸１２０を中心に回転して、給電部１１１が開口１０７を介して面光源保持部１０１の外部に押し出される。これにより、給電部１１１は面光源２００の電源端子２１０に接続する。このため、電源端子２１０は、面光源２００が配置面１０２に配置されるまでは、収容部１０６の中に位置している。従って、作業者が発光装置１０を壁面や天井などの面に取り付ける際に、作業者が誤って給電部１１１に触れることを抑制できる。
【００２７】
（実施例２）
図６は、実施例２に係る発光装置１０の構成を示す図である。図７は、図６に示した給電装置１００の配置面１０２に面光源２００を配置した状態を示す図である。本実施例に係る給電装置１００は、梃子部材１１０が回転軸１２０を中心に折れ曲がっている点を除いて、実施例１に係る給電装置１００と同様の構成である。
【００２８】
詳細には、梃子部材１１０は、受電部１１３が配置面１０２に近づく方向に折れ曲がっている。これに伴い、電源端子１４０のうち受電部１１３に接する面の位置も、配置面１０２に近づいている。
【００２９】
本実施例によっても、実施例１と同様の効果が得られる。
【００３０】
（実施例３）
図８は、実施例３に係る発光装置１０の構成を示す図である。本実施形態に係る発光装置１０は、以下の点を除いて、実施例１又は実施例２に係る発光装置１０と同様の構成である。
【００３１】
まず、給電装置１００には当接部材１３０が設けられていない。その代わりに、面光源２００の本体のうち電源端子２１０が設けられた面には、凸部取付部２２２が設けられている。凸部取付部２２２は凸部２２０を取り外し可能に取り付けるための構造である。凸部取付部２２２は、例えば雌ネジが形成された溝である。そして、給電装置１００に面光源２００を取り付ける際に、凸部取付部２２２には凸部２２０が取り付けられる。
【００３２】
面光源２００が配置面１０２に配置されたとき、凸部２２０は、開口１０４を介して面光源保持部１０１の内部に入り込む。そして凸部２２０は移動部１０５に作用し、給電部１１１を収容部１０６から配置面１０２の外に向けて移動させる。具体的には、凸部２２０の先端は、梃子部材１１０のうち回転軸１２０を介して給電部１１１とは逆側の部分（例えば受電部１１３）に当接し、この部分を押し下げる。これにより、梃子部材１１０は回転軸１２０を中心に回転し、その結果、給電部１１１は面光源２００の電源端子２１０に接続する。
【００３３】
本実施例によっても、実施例１又は実施例２と同様の効果が得られる。また、面光源２００の凸部２２０は取り外し可能になっている。従って、面光源２００を設置するまでは、面光源２００はシート状又は板状のままである。従って、面光源２００の搬送を容易に行える。
【００３４】
なお、本実施例において、凸部２２０は面光源２００の本体に固定されていても良い。このようにしても、実施例１又は実施例２と同様の効果が得られる。
【００３５】
なお、図９に示すように、梃子部材１１０に当接部材１３０を設けていても良い。この場合、凸部２２０は、当接部材１３０を押し下げることにより、梃子部材１１０を回転させる。そして本図に示す例では、当接部材１３０の上端は配置面１０２から飛び出さなくても良い。
【００３６】
以上、図面を参照して実施形態及び実施例について述べたが、これらは本発明の例示であり、上記以外の様々な構成を採用することもできる。
【符号の説明】
【００３７】
１０ 発光装置
１００ 給電装置
１０１ 面光源保持部
１０２ 配置面
１０４ 開口
１０５ 移動部
１０６ 収容部
１１０ 梃子部材
１１１ 給電部
１１３ 受電部
１２０ 回転軸
１３０ 当接部材
１４０ 電源端子
１６０ バネ部材
２００ 面光源
２１０ 電源端子
２２０ 凸部
２２２ 凸部取付部
【図１】
2014229493.tif 000003
【図２】
2014229493.tif 000004
【図３】
2014229493.tif 000005
【図４】
2014229493.tif 000006
【図５】
2014229493.tif 000007
【図６】
2014229493.tif 000008
【図７】
2014229493.tif 000009
【図８】
2014229493.tif 000010
【図９】
2014229493.tif 000011